【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
ネットワーク側が発呼元移動通信端末による発呼を受信するステップと、
ネットワーク側が発呼先移動通信端末の通話状態情報に基づいて発呼元移動通信端末に呼出音信号を発信し、発呼先移動通信端末からのオフフック信号を受信した後、発呼元移動通信端末と発呼先移動通信端末との間の通話路を確立するとともに、通話中に背景音を再生するステップと、
を含むことを特徴とする移動通信電話の通話中の背景音の加入方法。
【請求項２】
前記ネットワーク側に背景音サービスシステムを有し、前記発呼元移動通信端末と発呼先移動通信端末との間の通話路を確立するとともに、通話中に背景音を再生するステップは、さらに、
ネットワーク側が、発呼元移動通信端末と発呼先移動通信端末および背景音サービスシステムとの間の三者通話路を確立するステップと、
背景音サービスシステムが、発呼元移動通信端末および／または発呼先移動通信端末へ背景音を再生するステップと、
を含むことを特徴とする請求項１記載の移動通信電話の通話中の背景音の加入方法。
【請求項３】
前記ネットワーク側は、発呼元移動通信端末と発呼先移動通信端末および背景音サービスシステムとの間の三者通話路を確立する移動交換センターを備えることを特徴とする請求項２記載の移動通信電話の通話中の背景音の加入方法。
【請求項４】
前記移動交換センターにより発呼元移動通信端末と発呼先移動通信端末および背景音サービスシステムとの間の三者通話路を確立するステップは、さらに、
前記移動交換センターが、前記発呼元移動通信端末と発呼先移動通信端末との間の通話路を確立するとともに、背景音サービスシステムに通話路の確立命令を送信するステップと、
背景音サービスシステムが、前記移動交換センターに背景音サービスチャンネルを提供するステップと、
移動交換センターが、背景音サービスシステムにより提供された背景音サービスチャンネルを前記発呼元移動通信端末と発呼先移動通信端末との間の通話路に加えて、三者通話を確立するステップと、
を含むことを特徴とする請求項３記載の移動通信電話の通話中の背景音の加入方法。
【請求項５】
前記背景音サービスシステムが、発呼元移動通信端末と発呼先移動通信端末とへ背景音を再生するステップを含み、当該ステップが、さらに、
背景音サービスシステムが、発呼先移動通信端末の番号情報に基づいて、発呼元移動通信端末の背景音サービス業務の加入情報を検索して、再生パラメータと再生内容を獲得するとともに、移動交換センターを介して発呼元移動通信端末と発呼先移動通信端末とへ送信するステップ、または、
背景音サービスシステムが発呼先移動通信端末の番号情報に基づいて、発呼先移動通信端末の背景音サービス業務の加入情報を検索して、再生パラメータと再生内容を獲得するとともに、移動交換センターを介して発呼元移動通信端末と発呼先移動通信端末とへ送信するステップ
を含むことを特徴とする請求項３記載の移動通信電話の通話中の背景音の加入方法。
【請求項６】
前記移動交換センターは、発呼元側の移動交換センター、または発呼先側の移動交換センターとすることが可能であることを特徴とする請求項３〜５のいずれか１項に記載の移動通信電話の通話中の背景音の加入方法。
【請求項７】
前記背景音サービスシステムが発呼元移動通信端末と発呼先移動通信端末とへ背景音を再生するステップは、さらに、
前記背景音サービスシステムが発呼元移動通信端末および／または発呼先移動通信端末により送信されたボタン信号に基づいて背景音の再生を制御するステップを含むことを特徴とする請求項２記載の移動通信電話の通話中の背景音の加入方法。
【請求項８】
前記ボタン信号に基づいて背景音の再生を制御する内容は、
再生の背景音を選択したり、背景音の再生速度、背景音の音量、背景音の再生効果を調整したり、背景音の再生を起動または停止することのうちのいずれかまたはこれらの組み合わせを含むことを特徴とする請求項７記載の移動通信電話の通話中の背景音の加入方法。
【請求項９】
前記ネットワーク側は、発呼元移動通信端末および／または発呼先移動通信端末の背景音サービス業務の加入情報に基づいて、通話中に背景音を再生することを特徴とする請求項１記載の移動通信電話の通話中の背景音の加入方法。
【請求項１０】
移動通信網とのインターフェースが設けられ、移動通信網に接続し、背景音サービスシステムとネットワーク側との通話路を確立するための交換設備と、
背景音データを格納するための背景音格納設備と、
発呼元移動通信端末と発呼先移動通信端末の通話中に、前記背景音格納設備から再生予定の背景音データを読み出し、発呼元移動通信端末および／または発呼先移動通信端末へ再生するための背景音再生設備と、
背景音再生設備と接続される、背景音再生設備の再生／停止を制御するための制御設備と、
を備えることを特徴とする背景音サービスシステム。
【請求項１１】
前記制御設備からの制御命令を解析し、並びに解析した命令にしたがって、
（ａ）背景音格納設備から再生予定の背景音を選択すること、
（ｂ）背景音の再生速度、背景音の音量、背景音の再生効果を調整すること、または
（ｃ）背景音の再生を起動または停止することのうちのいずれかまたはこれらの組み合わせを実行することを特徴とする請求項１０記載の背景音サービスシステム。
【請求項１２】
背景音内容提供者が背景音データを背景音格納設備に格納することと、背景音ユーザが背景音サービスを予約、修正、調節または解除することと、背景音サービス事業者が背景音データを管理することと、
を制御するための背景音データ管理設備をさらに備えることを特徴とする請求項１０記載の背景音サービスシステム。
【請求項１３】
ネットワーク側は、背景音サービスを提供する背景音サービスシステムを有し、
前記ネットワーク側は、発呼元移動通信端末による発呼を受信した後、発呼先移動通信端末の通話状態情報に基づいて発呼元移動通信端末に呼出音信号を送信し、発呼先移動通信端末からのオフフック信号を受信した後、発呼元移動通信端末と発呼先移動通信端末との間の通話路を確立するとともに、前記背景音サービスシステムにより前記通話中に背景音を再生することを特徴とする移動通信電話の通話中に背景音を加入する移動通信システム。
【請求項１４】
移動通信網とのインターフェースを設けられ、移動通信網に接続し、背景音サービスシステムとネットワーク側との通話路を確立するための交換設備と、
背景音データを格納するための背景音格納設備と、
発呼元移動通信端末と発呼先移動通信端末の通話中に、前記背景音格納設備から再生予定の背景音データを読み出し、発呼元移動通信端末および／または発呼先移動通信端末へ再生するための背景音再生設備と、
背景音再生設備と接続される、背景音再生設備の再生／停止の操作を制御するための制御設備と、をさらに備えることを特徴とする請求項１３記載の移動通信電話の通話中に背景音を加入する移動通信システム。
【請求項１５】
前記背景音再生設備は、制御設備からの制御命令を解析し、並びに解析した命令に従って、
背景音格納設備から再生予定の背景音を選択したり、背景音の再生速度、背景音の再生音量、背景音の再生効果を調整したり、背景音の再生を起動または停止することのうちのいずれかまたはこれらの組み合わせを実行することを特徴とする請求項１４記載の移動通信電話の通話中に背景音を加入する移動通信システム。
【請求項１６】
前記背景音サービスシステムは、背景音内容提供者が背景音データを背景音格納設備に格納することと、背景音ユーザが背景音サービスを予約、修正、調節または解除することと、背景音サービス事業者が背景音データを管理することと、を制御するための背景音データ管理設備をさらに備えることを特徴とする請求項１４記載の移動通信電話の通話中に背景音を加入する移動通信システム。